(57)【要約】【課題】まつ毛エクステンションの施術に用いられる物品を効果的に収容し、それらを設置するスペースを十分に確保することで、安全面及び衛生面に注意しながら効率的に作業を行う為の収容棚を提供することを課題とする。【解決手段】収容棚１であって、少なくとも一面が解放された箱体である収容棚本体２と、前記解放された面に沿って、前記収容棚本体２に一方向からのみスライドして着脱可能な解放面プレート３と、前記収容棚１内部に設けられ、前記解放面プレート３方向にスライドして取り出し可能な複数の棚プレート４と、を備えることを特徴とする。【選択図】図１
0003191751.tif 000002
【実用新案登録請求の範囲】
【請求項１】
少なくとも一面が解放された箱体である収容棚本体と、
前記解放された面に沿って、前記収容棚本体に一方向からのみスライドして着脱可能な解放面プレートと、
前記収容棚内部に設けられ、前記解放面プレート方向にスライドして取り出し可能な複数の棚プレートと、を備えることを特徴とする収納棚。
【請求項２】
前記解放面プレートは、前記収容棚の上方向にスライドすることで取り外されることを特徴とする請求項１に記載の収容棚。
【請求項３】
前記収容棚本体及び前記解放面プレートは、透明樹脂で形成されていることを特徴とする請求項１又は請求項２に記載の収容棚。
【請求項４】
前記棚プレートは白色であることを特徴とする請求項１〜３の何れかに記載の収容棚。
【請求項５】
前記収容棚本体は、引き出し可能な収容箱を備えることを特徴とする請求項１〜４の何れかに記載の収容棚。
【請求項６】
前記収容箱は、耐エタノール性を備えることを特徴とする請求項５に記載の収容箱。
【請求項７】
前記解放面プレートは、前記収容棚を形成する面の内、面積が最大となる面ではないことを特徴とする請求項１〜６の何れかに記載の収容棚。
【請求項８】
前記収容棚を形成する面の内、面積が最大となる面及びその面と向かい合った面に、前記棚プレートをスライドさせるためのスライド溝が設けられていることを特徴とする請求項１〜７の何れかに記載の収容棚。
【考案の詳細な説明】
【技術分野】
【０００１】
本考案は、まつ毛エクステンションの施術を効率化する為の、スライド式の収納棚に関する。
【背景技術】
【０００２】
従来、化学繊維等から作られた人工のまつ毛や人毛のまつ毛等（以下まつ毛とする）を、まぶたから生えたまつ毛に接着し、まつ毛を長く濃く見せるためのまつ毛エクステンションと呼ばれる技術がある。
【０００３】
まつ毛エクステンションは専門の技術者によって施術されるが、１回の施術によって１００本以上のまつ毛を接着する場合もあり、作業の効率化が望まれていた。
【０００４】
特許文献１には、まつ毛を並べて載置するための区域と、まつ毛を接着するための溶液（グルー）を置くための区域と、まつ毛の本数をカウントするためのカウンタと、を一つのプレート上に配置し、まつ毛エクステンションの施術能率を高めるためのまつ毛エクステンション施術用トレーに関する技術が記載されている。
【先行技術文献】
【特許文献】
【０００５】
【特許文献１】実用新案登録第３１４５５８９号公報
【考案の概要】
【考案が解決しようとする課題】
【０００６】
ところで、まつ毛エクステンションの施術を行う際には、まつ毛、まつ毛を接着するための溶液（グルー）、グルートレー、作業器具（ツィザーやコーム等）、作業器具の消毒液など、多数の物品が必要である。そのため、それらを設置するスペースを十分に確保して、安全面及び衛生面に注意しながら効率的に作業を行うことが必要である。
【０００７】
前述した従来の技術は、トレーを重ねることで施術に用いられる物品を効率的に収容可能であるが、トレーを重ねて設置した場合、転倒などの危険性を伴うこととなる。
【０００８】
まつ毛エクステンションは眼球のすぐ近くで作業を行う為、衛生面に関して細心の注意を払う必要がある。従来の技術ではトレーが転倒した場合、まつ毛やグルー、作業器具が地面などに落ちて利用できなくなる恐れがある。加えて、トレーを複数重ねあわせるため、持ち運びに適しているとは言い難い。
【０００９】
本考案は、このような問題点に鑑みてなされたものであり、まつ毛エクステンションの施術に用いられる物品を効果的に収容し、それらを設置するスペースを十分に確保することで、安全面及び衛生面に注意しながら効率的に作業を行う為の収容棚を提供することを課題とする。
【課題を解決するための手段】
【００１０】
本考案は、上記のような実状に鑑みてなされたものであり、収容棚であって、少なくとも一面が解放された箱体である収容棚本体と、前記解放された面に沿って、前記収容棚本体に一方向からのみスライドして着脱可能な解放面プレートと、前記収容棚内部に設けられ、前記解放面プレート方向にスライドして取り出し可能な複数の棚プレートと、を備えることを特徴とする。
【００１１】
まつ毛エクステンションの施術は眼球のすぐ近くで行われる為、衛生面に関して細心の注意を払う必要がある。このような構成とすることで、収容棚が転倒した際に、棚プレートや収容物が飛び出さないような収容棚を形成することができる。それによって、収容棚を極めて容易に持ち運ぶことができる。
【００１２】
また、多くの施術道具を収容することが可能であり、施術時に施術道具を置くスペースを最大限確保することが可能となる。
【００１３】
本考案の好ましい形態では、前記解放面プレートは、前記収容棚の上方向にスライドすることで取り外されることを特徴とする。
このような構成とすることで、収容棚が転倒等した際に、棚プレートや収容物が飛び出しにくい収容棚を形成することができる。落下した際のリスクが軽減されるため、複数の施術に必要な物品を収容して容易に持ち運ぶことができる。
【００１４】
本考案の好ましい形態では、前記収容棚本体及び前記解放面プレートは、透明樹脂で形成されていることを特徴とする。
このような構成とすることで、内容物を容易に視認することができ、施術の効率をより高めることができる。また、内部が視認可能であることにより、内部の衛生状態なども確認することができる。
【００１５】
本考案の好ましい形態では、前記棚プレートは白色であることを特徴とする。
このような構成とすることで、棚プレートにまつ毛を載置する場合、容易にまつ毛を視認することができる。まつ毛エクステンションで使用するまつ毛は長さや曲がり具合が均一でない場合も多く、まつ毛の長さや曲がり具合を見ながら接着するまつ毛を選択する必要がある。棚プレートが白色であることにより、極めて効率的にまつ毛を選定し、施術を行うことができる。
【００１６】
本考案の好ましい形態では、前記収容棚本体は、引き出し可能な収容箱を備えることを特徴とする。
このような構成とすることで、多様な施術道具を収容することができる。
【００１７】
本考案の好ましい形態では、前記収容箱は、耐エタノール性を備えることを特徴とする。
このような構成とすることで、収容箱内で施術道具の消毒を行うことができる。また、収容箱を収容箱内の底部に備えることによって、重心を下にし、より転倒しづらい収容箱を形成することができる。
【００１８】
本考案の好ましい形態では、前記解放面プレートは、前記収容棚を形成する面の内、面積が最大となる面に備えられていないことを特徴とする。
解放面プレートが面積の最大となる面を形成する場合、解放面プレートの引き出しや装着が行いにくくなる。このような構成とすることで、解放面プレートの引き出しや装着を極めて容易に行うことが可能である。加えて、面積が最大となる面が傷つくことを防ぎ、容器としての美観を保つことが可能である。
【００１９】
本考案の好ましい形態では、前記収容棚を形成する面の内、面積が最大となる面及びその面と向かい合った面に、前記棚プレートをスライドさせるためのスライド溝が設けられていることを特徴とする。
【考案の効果】
【００２０】
本考案によれば、まつ毛エクステンションの施術に用いられる物品を効果的に収容し、それらを設置するスペースを十分に確保することで、安全面及び衛生面に注意しながら効率的に作業を行う為の収容棚を提供することができる。
【図面の簡単な説明】
【００２１】
【図１】本考案の一実施形態を示す外観斜視図である。
【図２】本考案の一実施形態を示す断面図である。
【図３】本考案の一実施形態の使用状態を示す外観斜視図である。
【図４】本考案の一実施形態の使用状態を示す外観斜視図である。
【考案を実施するための形態】
【００２２】
以下、本本考案の一実施形態を図１ないし図４を参照して説明する。
【００２３】
図１に示すように、本実施形態における収容棚１は、一つの面が解放された箱体の収容棚本体２と、解放された面に対応して装着された解放面プレート３と、収容棚本体２内部に収容された棚プレート４と、収容棚本体２内の底部に収容された収容箱５と、を備える。
図２（ａ）は図１におけるａ‐ａ’断面を表しており、図２（ｂ）は図１におけるｂ‐ｂ’断面を表している。
【００２４】
収容棚本体２は、１つの面が解放された直方体型の箱体であり、本実施形態においてはアクリル樹脂によって形成されている。収容棚本体２は、必ずしも透明樹脂によって形成されている必要はないが、透明樹脂を用いることによって耐久性を備えながら内部が視認可能に形成されるため好ましい。
【００２５】
解放された面（以下、解放面とする）と直交する箱体側面には、解放面プレート３を垂直方向にスライドして装着するための解放面スライド溝２１と、棚プレート４を水平方向にスライドして装着するための棚スライド溝２２と、が設けられている。
【００２６】
解放面プレート３は、収容棚本体２の解放面に沿って備えられており、収容棚１の上方向にスライドさせることで着脱可能である。解放面プレート３は、必ずしも上にスライドして着脱可能である必要はないが、上方向のみにスライドして着脱可能であることにより、収容棚１が転倒などした際に解放面プレート３が外れる可能性を抑えることができる。
【００２７】
本実施形態における解放面プレート３は、収容棚本体２と同様にアクリル樹脂によって形成されている。解放面プレート３は、必ずしも透明樹脂によって形成されている必要はないが、透明樹脂を用いることによって耐久性を備えながら内部が視認可能に形成されるため好ましい。また、面引手３１が設けられており、容易にスライドして引き出すことが可能である。
【００２８】
解放面プレート３が備えられた解放面は、収納棚１の側面のうちの面積の小さな側である。スライドして解放面プレート３を引き出す際に、解放面プレート３に傷が生じる恐れがあるが、面積の小さな面を解放面プレート３とすることによって、収容箱１の解放に伴って傷つく面積を小さくすることができる。収容棚１の傷つく面を小さくすることで、透明樹脂で形成された収容棚１の損傷を抑え、美観を損なわずに使用することが可能である。また、棚プレート４を引き出す際や入れる際に、底面の長辺方向にスライドさせることとなるため、より収容棚１が安定した状態で棚プレート４等をスライドさせることができる。
【００２９】
棚プレート４は、収容棚本体２内部に設置されており、解放面から、水平方向にスライドして出し入れすることができる。本実施形態における棚プレート４は、白色の樹脂によって形成されている。これにより、まつ毛エクステンションの施術の際に、まつ毛の細かな違いを容易に視認することができる。棚プレート４は、必ずしも白色の樹脂によって形成されている必要はない。また、棚プレート４は必ずしも板状である必要はなく、箱体として施術道具を収容可能に構成しても構わない。
【００３０】
収容箱５は、収容棚本体２内部に設置されており、解放された面から水平方向にスライドして出し入れすることができる。収容箱５は箱引手５１を備えており、容易に引き出すことが可能である。
【００３１】
本実施形態における収容箱５は、塩化ビニル樹脂によって形成されている。収容箱５の材質は必ずしも塩化ビニル樹脂等耐エタノール性を備えている必要はないが、耐エタノール性を備えた材質であることにより、ツィザー等の施術道具を消毒しながら収容することが可能であるため好ましい。
【００３２】
図３に示すように、解放面プレート３を引き上げることで、収容棚本体２に備えられた棚プレート４を引き出すことが可能である。施術の際は、解放面プレート３を取り外し、まつ毛の張り付けられた棚プレート４を取り出しながら施術が行われる。Ｅはまつ毛エクステンションの施術に用いられるまつ毛であり、棚プレート４上に粘着シートによって張り付けられている。
【００３３】
図４に示すように、棚プレート４は取り外すことが可能である。また、施術に際して、載置台６に装着することで容易に施術を行うことが可能である。まつ毛を棚プレート４に張り付けるための粘着剤の強さによっては、棚プレート４を片手で抑えながら張り付けられたまつ毛をとる作業が必要である。棚プレート４に重りとしての載置台６を装着して施術を行うことにより、容易にまつ毛をつまみ取ることができる。
【００３４】
本実施形態によれば、極めて多くの物品を収容可能であって、転倒などした際にも内容物が飛び出す危険性を抑えた収容棚を形成することができる。まつ毛エクステンションは眼球のすぐ近くで作業を行う為、衛生面に関して細心の注意を払う必要がある。このような構成とすることで、持ち運び等を容易に行うことができ、転倒した際に内容物が飛散することを防ぐ、安全性を考慮した収容棚を形成することができる。
【００３５】
また、内容物が収容棚によって覆われているため、極めて衛生的な状態を保つことが可能である。収容棚本体が透明樹脂で形成されていることにより、内部の衛生状態を容易に視認することが可能である。加えて、まつ毛等施術に用いる物品を、美しくディスプレイしておくことができる。
【００３６】
また、耐エタノール性を備えている収容箱を収容棚に備えることによって、施術道具の消毒を収容棚内で行うことができる。消毒を収容箱内で行うことで、更に高い省スペース性を得ることができる。
【産業上の利用可能性】
【００３７】
まつ毛エクステンションの施術に関する物品置場を省スペース化し、衛生的かつ効率的に施術を行う為の収容棚を提供することができる。
【符号の説明】
【００３８】
１  収容棚
２  収容棚本体
２１  解放面スライド溝
２２  棚スライド溝
３  解放面プレート
３１  面引手
４  棚プレート
５  収容箱
５１  箱引手
６  載置台
Ｅ  まつ毛
【図１】
0003191751.tif 000003
【図２】
0003191751.tif 000004
【図３】
0003191751.tif 000005
【図４】
0003191751.tif 000006
【手続補正書】
【提出日】平成26年5月7日(2014.5.7)
【手続補正１】
【補正対象書類名】実用新案登録請求の範囲
【補正対象項目名】請求項６
【補正方法】変更
【補正の内容】
【請求項６】
前記収容箱は、耐エタノール性を備えることを特徴とする請求項５に記載の収容棚。